(57)【特許請求の範囲】
【請求項１】
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置であって、
前記複数の第１基地局及び前記第２基地局は、前記複数の通信システムの選択が可能か不可能かの情報である選択情報を送信する送信手段を備え、
前記移動局は、
前記選択情報を受信する受信手段と、
前記複数の通信システムのうち選択した通信システム以外の非選択通信システムにより通信可能にするために、前記選択情報に基づいて前記非選択通信システムを監視する監視手段と、を備え、
前記第１の基地局の前記送信手段は、前記選択情報を送信するに際し、前記複数の通信システムの選択が可能である旨、及び前記複数の通信システムの選択が不可能である旨のいずれかの前記選択情報を送信し、
前記第２の基地局の前記送信手段は、前記選択情報を送信するに際し、前記複数の通信システムの選択が不可能である旨の前記選択情報を送信する、
ことを特徴とする複数システム共用移動通信装置。
【請求項２】
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置のコンピュータに使用される記録媒体であって、
前記複数の第１基地局及び前記第２基地局を、前記複数の通信システムの選択が可能か不可能かの情報である選択情報を送信する送信手段、として機能させ、
前記移動局を、前記選択情報を受信する受信手段、前記複数の通信システムのうち選択した通信システム以外の非選択通信システムにより通信可能にするために、前記選択情報に基づいて前記非選択通信システムを監視する監視手段、として機能させ、
前記第１の基地局の前記送信手段に、前記選択情報を送信させるに際し、前記複数の通信システムの選択が可能である旨、及び前記複数の通信システムの選択が不可能である旨のいずれかの前記選択情報を送信させ、
前記第２の基地局の前記送信手段に、前記選択情報を送信させるに際し、前記複数の通信システムの選択が不可能である旨の前記選択情報を送信させるためのプログラムを記録したコンピュータ読み取り可能な記録媒体。
【請求項３】
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置のコンピュータに使用されるプログラムであって、
前記複数の第１基地局及び前記第２基地局を、前記複数の通信システムの選択が可能か不可能かの情報である選択情報を送信する送信手段、として機能させ、
前記移動局を、前記選択情報を受信する受信手段、前記複数の通信システムのうち選択した通信システム以外の非選択通信システムにより通信可能にするために、前記選択情報に基づいて前記非選択通信システムを監視する監視手段、として機能させ、
前記第１の基地局の前記送信手段に、前記選択情報を送信させるに際し、前記複数の通信システムの選択が可能である旨、及び前記複数の通信システムの選択が不可能である旨のいずれかの前記選択情報を送信させ、
前記第２の基地局の前記送信手段に、前記選択情報を送信させるに際し、前記複数の通信システムの選択が不可能である旨の前記選択情報を送信させるためのプログラム。
【請求項４】
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信方法であって、
前記複数の第１基地局及び前記第２基地局から、前記複数の通信システムの選択が可能か不可能かの情報である選択情報を送信させる送信工程と、
前記移動局に前記選択情報を受信させる受信工程と、
前記移動局に前記複数の通信システムのうち選択した通信システム以外の非選択通信システムにより通信可能にするために、前記移動局に前記選択情報に基づいて前記非選択通信システムを監視させる監視工程と、を備え、
前記送信工程において、
前記第１の基地局から前記選択情報を送信させるに際し、前記複数の通信システムの選択が可能である旨、及び前記複数の通信システムの選択が不可能である旨のいずれかの前記選択情報を送信させ、
前記第２の基地局から前記選択情報を送信させるに際し、前記複数の通信システムの選択が不可能である旨の前記選択情報を送信させる、
ことを特徴とする複数システム共用移動通信方法。
【請求項５】
移動通信用の基地局であって、
前記基地局の通信システムを含む複数の通信システムの選択が可能か不可能かの情報である選択情報を記憶する記憶手段と、
前記選択情報を送信する送信手段と、
を備え、
前記送信手段は、前記選択情報を送信するに際し、前記複数の通信システムの選択が可能である旨、及び前記複数の通信システムの選択が不可能である旨のいずれかの前記選択情報を送信する、
ことを特徴とする基地局。
【請求項６】
移動通信用の基地局のコンピュータに使用される記録媒体であって、
前記コンピュータを、
前記基地局の通信システムを含む複数の通信システムの選択が可能か不可能かの情報である選択情報を記憶する記憶手段、
前記選択情報を送信する送信手段、として機能させ、
前記送信手段に、前記選択情報を送信させるに際し、前記複数の通信システムの選択が可能である旨、及び前記複数の通信システムの選択が不可能である旨のいずれかの前記選択情報を送信させるためのプログラムを記録したコンピュータ読み取り可能な記録媒体。
【請求項７】
移動通信用の基地局のコンピュータに使用されるプログラムであって、
前記コンピュータを、
前記基地局の通信システムを含む複数の通信システムの選択が可能か不可能かの情報である選択情報を記憶する記憶手段、
前記選択情報を送信する送信手段、として機能させ、
前記送信手段に、前記選択情報を送信させるに際し、前記複数の通信システムの選択が可能である旨、及び前記複数の通信システムの選択が不可能である旨のいずれかの前記選択情報を送信させるためのプログラム。
【請求項８】
移動通信用の基地局の動作方法であって、
前記基地局の通信システムを含む複数の通信システムの選択が可能か不可能かの情報である選択情報を記憶する記憶工程と、
前記選択情報を送信する送信工程と、を備え、
前記送信工程において、前記選択情報を送信させるに際し、前記複数の通信システムの選択が可能である旨、及び前記複数の通信システムの選択が不可能である旨のいずれかの前記選択情報を送信させる、
ことを特徴とする基地局の動作方法。
【発明の詳細な説明】
【０００１】
【発明の属する技術分野】
本発明は、複数システム共用移動通信方法及びその装置、基地局及びその動作方法、記録媒体並びにプログラムに関する。
【０００２】
【従来の技術】
複数の通信システムを使用する移動通信システムの代表例として、現在、日本で商用サービスされているディジタル自動車電話方式（Personal Digital Cellular : PDC）において、周波数帯域が８００ＭＨｚの通信システムと周波数帯域が１５００ＭＨｚの通信システムの両方を使用する例がある。この移動通信システムにおいて、二つの通信システムの各周波数帯域を使用可能な移動局を多数導入した上で、それらの移動局を二つの通信システムに振り分けることによって、トラヒックや処理負荷を二つの通信システムに分散させる、複数システム共用移動通信方式が検討されている。
【０００３】
この方式の実現方法としては、移動局で常に両方の通信システムの電波の受信状態を監視し、受信状態の良いほうの基地局を選択する方法がある。そして、どちらかの通信システムを選択した後も、移動局の移動により電波の受信状態は変化するため、選択した通信システムはもちろんのこと選択していない通信システムについても監視を行うのが一般的である。
【０００４】
【発明が解決しようとする課題】
この方式において、複数の通信システムが全く同一のサービスエリアをカバーしている場合には、特に問題はない。しかし、サービスエリアが完全に一致しない場合、一致しない場所にあるセルでは、一方の通信システム（例えば、８００ＭＨｚの通信システム ）のみ使用可能となり、他方の通信システム（例えば、１５００ＭＨｚの通信システム ）は使用できない。この場合、そのセルに在圏する移動局が他方の通信システムの監視をすることは無駄であり、移動局の消費電力の増大を招く。
【０００５】
本発明の目的は、複数システム共用移動通信において、移動局の消費電力を少なくすることができる、複数システム共用移動通信方法及びその装置、基地局及びその動作方法、記録媒体並びにプログラムを提供することである。
【０００６】
【課題を解決するための手段】
（１）本発明は、
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置であって、
前記複数の第１基地局及び前記第２基地局は、
前記複数の通信システムの選択が可能か不可能かの情報である選択情報を送信する送信手段を備え、
前記移動局は、
前記選択情報を受信する受信手段と、
前記複数の通信システムのうち選択した通信システム以外の非選択通信システムにより通信可能にするために、前記選択情報に基づいて前記非選択通信システムを監視する監視手段と、を備える、複数システム共用移動通信装置である。
【０００８】
本発明によれば、非選択通信システムの監視は、上記選択情報に基づいて行う。このため、移動局が第１ゾーンに位置する場合のみ、非選択通信システムの監視がなされる。よって、本発明によれば、移動局が第２ゾーンに位置する場合、非選択通信システムを監視する必要がないので、移動局の消費電力を抑えることができる。
【０００９】
なお、第１，２ゾーンとは、電波がとどく範囲であり、例えば、セルやマイクロセルなどを含む。複数の通信システムとは、第１ゾーンにおいて、例えば、周波数帯域が異なる通信システムを使用できる場合や、PHＳ通信システムと携帯電話通信システムとを利用できる場合がある。対応する通信システムを使用する複数の第１基地局とは、例えば、基地局Ａが８００ＭＨｚの通信システムを使用し、基地局Ｂが１５００ＭＨｚの通信システムを使用する場合である。通信可能とは、待ち受け、着信、発信を含む。
【００１０】
（３）本発明においては、また、
前記第１の基地局の前記送信手段は、前記選択情報を送信するに際し、前記通信システムの使用状況に応じて前記複数の通信システムの選択が可能である旨、及び前記複数の通信システムの選択が不可能である旨のいずれかの前記選択情報を送信し、
前記第２の基地局の前記送信手段は、前記選択情報を送信するに際し、前記複数の通信システムの選択が不可能である旨の前記選択情報を送信する。
【００１１】
例えば、複数の第１ゾーンのうち少なくとも一つをセルＡとする。セルＡでは周波数帯域が８００ＭＨｚの通信システムと周波数帯域が１５００ＭＨｚの通信システムのどちらも選択可能とする。例えば、基地局の能力、周波数配置などの理由により、１５００ＭＨｚの通信システムの無線回線数は、８００ＭＨｚの通信システムのそれよりも少ない場合、８００ＭＨｚの通信システムから無制限に１５００ＭＨｚの通信システムに切り替えると、１５００ＭＨｚの通信システムでは対応できない場合が生ずる。このような場合、位置的には、８００ＭＨｚの通信システムと周波数帯域が１５００ＭＨｚの通信システムのどちらも選択可能であっても、８００ＭＨｚの通信システムを使用する基地局から送信される選択情報を選択不可能とする。
【００１２】
（４）本発明は、
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置のコンピュータに使用される記録媒体であって、
前記複数の第１基地局及び前記第２基地局を、前記複数の通信システムの選択が可能か不可能かの情報である選択情報を送信する送信手段、として機能させ、
前記移動局を、前記選択情報を受信する受信手段、前記複数の通信システムのうち選択した通信システム以外の非選択通信システムにより通信可能にするために、前記選択情報に基づいて前記非選択通信システムを監視する監視手段、として機能させ、
前記第１の基地局の前記送信手段に、前記選択情報を送信させるに際し、前記複数の通信システムの選択が可能である旨、及び前記複数の通信システムの選択が不可能である旨のいずれかの前記選択情報を送信させ、
前記第２の基地局の前記送信手段に、前記選択情報を送信させるに際し、前記複数の通信システムの選択が不可能である旨の前記選択情報を送信させるためのプログラムを記録したコンピュータ読み取り可能な記録媒体である。
【００１３】
（５）本発明は、
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信装置のコンピュータに使用されるプログラムであって、
前記複数の第１基地局及び前記第２基地局を、前記複数の通信システムの選択が可能か不可能かの情報である選択情報を送信する送信手段、として機能させ、
前記移動局を、前記選択情報を受信する受信手段、前記複数の通信システムのうち選択した通信システム以外の非選択通信システムにより通信可能にするために、前記選択情報に基づいて前記非選択通信システムを監視する監視手段、として機能させ、
前記第１の基地局の前記送信手段に、前記選択情報を送信させるに際し、前記複数の通信システムの選択が可能である旨、及び前記複数の通信システムの選択が不可能である旨のいずれかの前記選択情報を送信させ、
前記第２の基地局の前記送信手段に、前記選択情報を送信させるに際し、前記複数の通信システムの選択が不可能である旨の前記選択情報を送信させるためのプログラムである。
【００１４】
（６）本発明は、
第１ゾーンに位置し、複数の通信システムのうち対応する通信システムを使用する複数の第１基地局と、
第２ゾーンに位置し、一つの通信システムを使用する第２の基地局と、
移動局と、を備え、
前記第１ゾーンにおいて、前記複数の通信システムの選択が可能であり、選択した通信システムにより通信可能であり、
前記第２ゾーンにおいて、前記一つの通信システムにより通信可能である、複数システム共用移動通信方法であって、
前記複数の第１基地局及び前記第２基地局から、前記複数の通信システムの選択が可能か不可能かの情報である選択情報を送信させる送信工程と、
前記移動局に前記選択情報を受信させる受信工程と、
前記移動局に前記複数の通信システムのうち選択した通信システム以外の非選択通信システムにより通信可能にするために、前記移動局に前記選択情報に基づいて前記非選択通信システムを監視させる監視工程と、を備えた複数システム共用移動通信方法である。
【００１６】
（８）また、本発明においては、
前記送信工程において、
前記第１の基地局から前記選択情報を送信させるに際し、前記複数の通信システムの選択が可能である旨、及び前記複数の通信システムの選択が不可能である旨のいずれかの前記選択情報を送信させ、
前記第２の基地局から前記選択情報を送信させるに際し、前記複数の通信システムの選択が不可能である旨の前記選択情報を送信させる。
【００２２】
（１４）本発明は、
移動通信用の基地局であって、
前記基地局の通信システムを含む複数の通信システムの選択が可能か不可能かの情報である選択情報を記憶する記憶手段と、
前記選択情報を送信する送信手段と、を備え、
前記送信手段は、前記選択情報を送信するに際し、前記複数の通信システムの選択が可能である旨、及び前記複数の通信システムの選択が不可能である旨のいずれかの前記選択情報を送信する、
ことを特徴とする基地局である。
【００２３】
（１５）本発明は、
移動通信用の基地局のコンピュータに使用される記録媒体であって、
前記コンピュータを、
前記基地局の通信システムを含む複数の通信システムの選択が可能か不可能かの情報である選択情報を記憶する記憶手段、
前記選択情報を送信する送信手段、として機能させ、
前記送信手段に、前記選択情報を送信させるに際し、前記複数の通信システムの選択が可能である旨、及び前記複数の通信システムの選択が不可能である旨のいずれかの前記選択情報を送信させるためのプログラムを記録したコンピュータ読み取り可能な記録媒体である。
【００２４】
（１６）本発明は、
移動通信用の基地局のコンピュータに使用されるプログラムであって、
前記コンピュータを、
前記基地局の通信システムを含む複数の通信システムの選択が可能か不可能かの情報である選択情報を記憶する記憶手段、
前記選択情報を送信する送信手段、として機能させ、
前記送信手段に、前記選択情報を送信させるに際し、前記複数の通信システムの選択が可能である旨、及び前記複数の通信システムの選択が不可能である旨のいずれかの前記選択情報を送信させるためのプログラムである。
【００２５】
（１７）本発明は、
移動通信用の基地局の動作方法であって、
前記基地局の通信システムを含む複数の通信システムの選択が可能か不可能かの情報である選択情報を記憶する記憶工程と、
前記選択情報を送信する送信工程と、を備え、
前記送信工程において、前記選択情報を送信させるに際し、前記複数の通信システムの選択が可能である旨、及び前記複数の通信システムの選択が不可能である旨のいずれかの前記選択情報を送信させる、
ことを特徴とする基地局の動作方法である。
【００２６】
【発明の実施の形態】
本発明の好適な実施形態について、図面を用いて説明する。本実施形態では、通信システム１と通信システム２とを選択して使用する。例えば、通信システム１は周波数帯域が８００ＭＨｚの通信システムであり、通信システム２は周波数帯域が１５００ＭＨｚの通信システムである。なお、本発明において、選択可能な通信システムの数は、二つに限られず、三つ以上でもよい。
【００２７】
図１は、本実施形態のサービスエリアの一例を示す図であり、このサービスエリアは多数のセルによりカバーされている。ハッチングが引かれた領域（セルの集合）は、第1ゾーンの一例であり、通信システム１を使用する基地局ＢＳ１と通信システム２を使用する基地局ＢＳ２が配置されている。ここで、ハッチングが引かれた領域（セルの集合）における通信システム１を使用する基地局ＢＳ１と通信システム２を使用する基地局ＢＳ２とは、特許請求の範囲における第１の基地局に相当する。また、白抜きの領域（セルの集合）は、第2ゾーンの一例であり、通信システム１を使用する基地局ＢＳ１が配置されている。ここで、白抜きの領域（セルの集合）における通信システム１を使用する基地局ＢＳ１は、特許請求の範囲における第２の基地局に相当する。
【００２８】
移動局ＭＳ１はハッチングが引かれたセルに在圏しており、二つの通信システム１、２の選択が可能であり、選択した通信システムにより通信可能となる。一方、移動局ＭＳ２は白抜きのセルに在圏しており、一つの通信システム１により通信可能となる。
【００２９】
図2は、本実施形態の移動局の一例のブロック図である。移動局ＭＳは、表示操作部１１０、制御部１２０、アンテナＡＮＴ１、アンテナＡＮＴ２を含む。
【００３０】
アンテナＡＮＴ１は、通信システム１用であり、無線機回路部１３０と接続されている。無線機回路部１３０は、アンテナＡＮＴ１から送受信される電波の変復調及び符覆号の処理をする。また、無線機回路部１３０は、アンテナＡＮＴ１が受信した信号を通話信号と制御信号とに分離する処理や通話信号と制御信号を合成してアンテナＡＮＴ１へ送る処理もする。
【００３１】
アンテナＡＮＴ２は、通信システム２用であり、無線機回路部１４０と接続されている。無線機回路部１４０は、アンテナＡＮＴ２から送受信される電波の変復調及び符復号の処理をする。無線機回路部１４０は、アンテナＡＮＴ２が受信した信号を通話信号と制御信号とに分離する処理や通話信号と制御信号を合成してアンテナＡＮＴ２へ送る処理もする。
【００３２】
なお、通信システム１、２が同一の周波数帯域を使用する場合、アンテナを別にする必要はなく、アンテナを共用できる。また、本実施形態では、通信システム１と通信システム２が異なる変復調方式、符復号方式なので、無線機回路部１３０、１４０を設けているが、同一方式の場合、無線機回路部を共用できる。
無線機回路部１３０、１４０は切替部１５０と接続されている。この接続において、通話信号用の配線と制御信号用の配線とは分離されている。切替部１５０により、通信システム１、２の切り替えがなされる。切替部１５０は、通話信号用の配線によってマイクやスピーカと接続され、制御信号用の配線によって制御部１２０と接続されている。
【００３３】
制御部１２０は、移動局ＭＳの制御をし、表示操作部１１０と接続されている。制御部１２０は、監視部１２１、選択情報受信部１２３を含む。選択情報受信部１２３は、通信システム１、２の選択が可能か不可能かの情報である選択情報を受信する。すなわち、選択情報受信部１２３は、アンテナＡＮＴ１により受信された信号に含まれる選択情報を抽出し、また、アンテナＡＮＴ２により受信された信号に含まれる選択情報を抽出する。
【００３４】
本実施形態では、選択情報を報知情報に含めている。図３は、本実施形態の報知情報を示している。報知情報には、エリア内の移動局に対するエリア情報、システム情報等の他、選択情報が含まれる。選択情報以外の情報は、通信システム毎に異なるが、ＰＤＣ方式等において一般的に利用される情報である。選択情報は通信システム１、２の選択が可能か不可能かの情報であり、例えば、「１」のとき通信システム１、２の選択が可能とし、「０」のとき通信システム１、２の選択が不可能とする。
【００３５】
図２の説明に戻る。選択情報は、制御部１２０の監視部１２１に送られる。監視部１２１は、通信システム１，２のうち非選択通信システムと通信可能にするため、選択情報に基づき非選択通信システムを監視する。例えば、通信システム１を使用中、通信システム２を監視する。そして、電波状態が通信システム１より通信システム２の方がよい場合、制御部１２０は切替要求信号Ｓを切替部１５０に送る。切替部１５０は、切替要求信号Ｓにより、通信システム１から通信システム２の切り替えをする。すなわち、無線機回路部１３０と、マイク、スピーカ、制御部１２０との接続を、無線機回路部１４０と、マイク、スピーカ、制御部１２０との接続に切り替える。
【００３６】
図４は、本実施形態の基地局ＢＳの一例のブロック図である。基地局ＢＳは、通信システム１を使用し、変復調部２１０、信号合成分離部２２０、インターフェース２３０、２４０を含む。変復調部２１０は、移動局と通信するためのアンテナＡＮＴと接続され、移動局との間で送受信される電波を変復調する。変復調部２１０は、信号合成分離部２２０と接続され、通話信号と制御信号の分離、合成をする。信号合成分離部２２０は、インターフェース２３０を介して、システム内の音声処理装置に接続されている。通話信号は、この径路を流れる。また、信号合成分離部２２０は、インターフェース２４０を介して、システム内の制御装置に接続されている。制御信号は、この径路を流れる。
【００３７】
基地局ＢＳは、この基地局の通信システムを含む複数の通信システムの選択が可能か不可能かの情報である選択情報を記憶する記憶部を含む。また、基地局ＢＳは、選択情報を移動局に送信する送信部を含む。なお、通信システム２を使用する基地局も同様の構成をしているので、説明を省略する。
【００３８】
図５は、本実施形態の移動局の動作のフローチャートを示す。本フローチャートは、通信システム１で待ち受け中の移動局について示しているが、通信システム２で待ち受け中の移動局についても同様である。また、本フローチャートは、本発明の内容に関係する移動局の動作を抽出して記述してあり、ＰＤＣ方式などの一般的な移動局としての動作の説明は省略する。
【００３９】
移動局の動作が開始する（ステップ５０１）。通信システム１の報知情報を受信したかの判定をする（ステップ５０２）。通信システム１の報知情報を受信していないと判定した場合、通信システム１のセルに設定された止り木チャネルのレベルを測定し（ステップ５０９）、ステップ５０２に戻る。一方、通信システム１の報知情報を受信したと判定した場合、選択情報を抽出し（ステップ５０３）、通信システム２の選択が不可能である場合、通信システム１のセルに設定された止り木チャネルのレベルを測定し（ステップ５０９）、ステップ５０２に戻る。
【００４０】
通信システム２の選択が可能な場合、通信システム２を監視中か否か判断する（ステップ５０５）。監視中、つまり、前ループで通信システム２のとまり木チャネルのレベルの測定をしている場合、通信システム２のセルに設定されたとまり木チャネルのレベルを測定し（ステップ５０８）、そして、ステップ５０９からステップ５０２に戻る。
【００４１】
通信システム２を監視中でない、つまり、前ループで通信システム２のとまり木チャネルのレベルの測定をしていない場合、通信システム２のセルに設定されたとまり木チャネルのスキャンをし（ステップ５０６）、とまり木チャネルを捕捉したか判断する（ステップ５０７）。とまり木チャネルを捕捉していない場合、ステップ５０９に進み、そして、ステップ５０２に戻る。捕捉した場合、ステップ５０８に進み、ステップ５０９を経てステップ５０２に戻る。
【００４２】
移動局の動作のフローチャートは以上の通りである。移動局の動作を図１で説明する。通信システム１を使用する移動局ＭＳ１がハッチングの引かれたセルに在圏する場合、選択情報には、通信システム１、２の選択が可能な情報が含まれるので、このセルの通信システム１に設定されたとまり木チャネルのレベル測定に加えて、このセルの通信システム２に設定されたとまり木チャネルのレベル測定をする。このとき、必要に応じてこのセルの通信システム２に設定されたとまり木チャネルのスキャンを行う。
【００４３】
通信システム２を使用する移動局ＭＳ１がハッチングの引かれたセルに在圏
する場合、選択情報には、通信システム１、２の選択が可能な情報が含まれるのでこのセルの通信システム２に設定されたとまり木チャネルのレベル測定に加えて、このセルの通信システム１に設定されたとまり木チャネルのレベル測定をする。このとき、必要に応じてこのセルの通信システム１に設定されたとまり木チャネルのスキャンを行う。
【００４４】
通信システム１を使用する移動局ＭＳ２が白抜きのセルに在圏する場合、選択情報は、通信システム１、２の選択が不可能な情報なので、このセルの通信システム１に設定されたとまり木チャネルのレベル測定のみ行い、通信システム２に設定されたとまり木チャネルのスキャン及びレベル測定はしない。
【００４５】
なお、本実施形態では、便宜上、図１に示すように、ハッチングの引かれたセルにおいては、通信システム１を使用するセルと通信システム２を使用するセルとが一致している例を用いて説明したが、通信システム１を使用するセルと通信システム２を使用するセルとは、必ずしも一致していなくてもよい。
【００４６】
また、本実施形態では、通信システム１，２の選択可能なセルについては、選択情報を選択可能とするが、例えば、システム容量の影響で、特定のセルへは、他の通信システムからの侵入を防止したい場合、当該他の通信システムの選択情報を選択不可能の情報にする。このようにシステムを運用することにより、トラフィックやシステム容量に応じた柔軟な対応が可能となる。
【００４７】
【発明の効果】
本発明に係る複数システム共用移動通信方法及びその装置、基地局及びその動作方法、記録媒体並びにプログラムによれば、非選択通信システムの監視は、選択情報に基づいて行う。このため、移動局が第１ゾーンに位置する場合のみ、非選択通信システムの監視がなされる。よって、本発明によれば、移動局が第２ゾーンに位置する場合、非選択通信システムを監視する必要がないので、移動局の消費電力を抑えることができる。
【図面の簡単な説明】
【図１】本実施形態のサービスエリアを示す図である。
【図２】本実施形態の移動局の一例のブロック図である。
【図３】本実施形態の報知情報を示す図である。
【図４】本実施形態の基地局ＢＳの一例のブロック図である。
【図５】本実施形態の移動局の動作のフローチャートである。
【符号の説明】
１１０ 表示操作部
１２０ 制御部
１２１ 監視部
１２３ 選択情報受信部
１３０ 無線機回路部
１４０ 無線機回路部
１５０ 切替部
２１０ 変復調部
２２０ 合成分離部
２３０ インターフェース
２４０ インターフェース
【図１】
0003737949.tif 000002
【図２】
0003737949.tif 000003
【図３】
0003737949.tif 000004
【図４】
0003737949.tif 000005
【図５】
0003737949.tif 000006